(57)【要約】【課題】本発明は、キーライトのＯＮ／ＯＦＦ状態を適切に制御することにより、消費電力の節約をしつつ誤動作を防止するとともに、ユーザの操作性に優れた携帯端末を提供する。【解決手段】少なくとも通常モードまたは第１の省電力モードに遷移可能な携帯端末であって、各々のキーにそれぞれ対応するキーコードを示すシンボルが表示されるようにキーパッドを照明するキーパッドの照明手段と、キーパッドの入力を検知する第１の検知手段と、通常モードにおいて第１の検知手段により入力が検知された場合、この入力に基づいた処理を行う（Ｓ１０３）入力手段と、携帯端末が第１の省電力モードに設定されている間、キーパッドの照明手段をＯＦＦにする（Ｓ１０７）とともに、第１の省電力モードにおいて第１の検知手段により入力が検知された場合、携帯端末を通常モードに遷移させて前記キーパッドの照明手段をＯＮにする（Ｓ１１５）制御手段と、を備えた。【選択図】  図４
2010273163.tif 000002
【特許請求の範囲】
【請求項１】
少なくとも通常モードまたは第１の省電力モードに遷移可能な携帯端末であって、
各々のキーにそれぞれ対応するキーコードを示すシンボルが表示されるようにキーパッドを照明するキーパッドの照明手段と、
前記キーパッドの入力を検知する第１の検知手段と、
前記通常モードにおいて前記第１の検知手段により入力が検知された場合、この入力に基づいた処理を行う入力手段と、
前記携帯端末が前記第１の省電力モードに設定されている間、前記キーパッドの照明手段をＯＦＦにするとともに、前記第１の省電力モードにおいて前記第１の検知手段により入力が検知された場合、前記携帯端末を前記通常モードに遷移させて前記キーパッドの照明手段をＯＮにする制御手段と、
を備えたことを特徴とする携帯端末。
【請求項２】
前記携帯端末のキーパッドの各々のキーに対して、複数のキーコードのうちのいずれかを選択して設定する設定手段を備え、
前記制御手段は、前記設定手段により設定されているキーコードに基づいて、前記キーパッドの照明手段により照明されるシンボルを切り替えることを特徴とする請求項１記載の携帯端末。
【請求項３】
データを表示する表示手段と、
前記携帯端末に加わる加速度方向に基づいて前記表示手段の表示方向を切り替える表示制御手段を備え、
前記制御手段は、前記表示手段の表示方向に基づいて、前記キーパッドの照明手段により照明されるシンボルを切り替えることを特徴とする請求項２記載の携帯端末。
【請求項４】
前記携帯端末は第２の省電力モードに遷移可能であって、
データを表示する表示手段を備え、
前記制御手段は、前記通常モードにおいて無操作状態が所定時間経過した場合に前記第２の省電力モードに遷移して前記キーパッドの照明手段をＯＦＦにし、前記第２の省電力モードにおいて無操作状態が所定時間経過した場合に前記第１の省電力モードに遷移して前記表示手段をＯＦＦにするとともに、前記第２の省電力モードにおいて前記第１の検知手段により入力が検知された場合、前記携帯端末を前記通常モードに遷移させて前記キーパッドの照明手段をＯＮにし、前記第１の省電力モードにおいて前記第１の検知手段により入力が検知された場合、前記携帯端末を前記通常モードに遷移させて前記表示手段及び前記キーパッドの照明手段をＯＮにすることを特徴とする請求項１記載の携帯端末。
【請求項５】
前記携帯端末は第２の省電力モードに遷移可能であって、
データを表示する表示手段を備え、
前記制御手段は、前記通常モードにおいて無操作状態が所定時間経過した場合に前記第２の省電力モードに遷移して前記キーパッドの照明手段をＯＦＦにして前記表示手段の輝度を下げるとともに、前記第２の省電力モードにおいて無操作状態が所定時間経過した場合に前記第１の省電力モードに遷移して前記表示手段をＯＦＦにするとともに、前記第１の省電力モードまたは前記第２の省電力モードにおいて前記第１の検知手段により入力が検知された場合、前記携帯端末を前記通常モードに遷移させて前記キーパッドの照明手段をＯＮにするとともに前記表示手段の輝度を上げることを特徴とする請求項１記載の携帯端末。
【請求項６】
前記携帯端末は第２の省電力モードに遷移可能であって、
データを表示する表示手段を備え、
前記制御手段は、前記通常モードにおいて無操作状態が所定時間経過した場合に前記第２の省電力モードに遷移して前記表示手段の輝度を下げるとともに、前記第２の省電力モードにおいて無操作状態が所定時間経過した場合に前記第１の省電力モードに遷移して前記キーパッドの照明手段及び前記表示手段をＯＦＦにするとともに、前記第２の省電力モードにおいて前記第１の検知手段により入力が検知された場合、前記携帯端末を前記通常モードに遷移させて前記表示手段の輝度を上げ、前記第１の省電力モードにおいて前記第１の検知手段により入力が検知された場合、前記携帯端末を前記通常モードに遷移させて前記キーパッドの照明手段及び前記表示手段をＯＮにすることを特徴とする請求項１記載の携帯端末。
【請求項７】
データを表示する表示手段と、
前記表示手段における接触を検知する第２の検知手段とを備え、
前記制御手段は、前記通常モードにおいて前記第２の検知手段により接触が検知された場合に前記省電力モードに遷移して前記キーパッドの照明手段をＯＦＦにするとともに、前記省電力モードにおいて前記第１の検知手段により入力が検知された場合、前記携帯端末を前記通常モードに遷移させて前記キーパッドの照明手段をＯＮにすることを特徴とする請求項１記載の携帯端末。
【請求項８】
前記携帯端末が少なくとも第１の状態または第２の状態に遷移可能であって、
前記制御手段は、前記携帯端末が第１の状態から第２の状態に遷移した際、前記省電力モードに遷移し、前記省電力モードにおいて前記第１の検知手段により入力が検知された場合に前記通常モードに遷移して前記キーパッドの照明手段をＯＮにすることを特徴とする請求項１記載の携帯端末。
【請求項９】
動画を再生する再生手段を備え、
前記制御手段は、前記通常モードにおいて前記再生手段により動画が再生された際、前記省電力モードに遷移して前記キーパッドの照明手段をＯＦＦにするとともに、前記省電力モードにおいて前記第１の検知手段により入力が検知された場合に前記通常モードに遷移して前記キーパッドの照明手段をＯＮにすることを特徴とする請求項１記載の携帯端末。
【請求項１０】
前記携帯端末を通常モードから省電力モードに切り替えるための入力を受け付ける受付手段を備え、
前記制御手段は、前記通常モードにおいて前記受付手段により入力が受け付けられた際、前記省電力モードに遷移して前記キーパッドの照明手段をＯＦＦにするとともに、前記省電力モードにおいて前記第１の検知手段により入力が検知された場合に前記通常モードに遷移して前記キーパッドの照明手段をＯＮにすることを特徴とする請求項１記載の携帯端末。
【発明の詳細な説明】
【技術分野】
【０００１】
本発明は、キーパッドを照明する器具を備え、キーパッド使用時にのみこの照明器具がＯＮになるように照明器具のＯＮ／ＯＦＦ状態を制御することで省電力が図られた携帯端末に関する。
【背景技術】
【０００２】
近年、従来の携帯端末に採用されてきたキーパッドには、表面に、キー押下に対応する処理内容が文字やアイコンなどのシンボルで印字されている。そして、ユーザが、明るい場所ではこれらのキーのシンボルを認識することができるが、暗い場所では認識できなくなってしまうという問題があった。そのため、携帯端末にはキーパッドを照明する器具が備えられ、この照明器具（キーライト）でキーパッドを照明することにより、暗い場所でもユーザにキーのシンボルを認識させることができていた。
【０００３】
また、キーパッドを照明するキーライトを備えるとともに、操作時にクリック感触により十分な操作感が得られる表示機能付きスイッチ群を実現した携帯電子機器のスイッチ群が提案されている（特許文献１参照）。この携帯電子機器のスイッチ群は、複数の透明キートップと、開口部を備えるスイッチ回路基板と、１つの表示装置とから構成されるスイッチ群であって、キートップは側面の一部に突き出し部を有し、この突き出し部に対応した位置に操作感を与える弾性部材を備えたものである。
【先行技術文献】
【特許文献】
【０００４】
【特許文献１】特開２００３−３０３５２６号公報
【発明の概要】
【発明が解決しようとする課題】
【０００５】
一方で、ディスプレイの表示方向を縦横方向で切り替えることのできる携帯端末において、単一のキーパッドに対して、ディスプレイの表示方向が縦表示の場合と横表示の場合とで、各々のキーに対応するキーコードを切り替えることができるものが開発されている。このような携帯端末は、例えば、縦表示用キーライトと横表示用キーライトとを備えていて、ディスプレイの表示方向に応じてこれらのキーライトを切り替えることにより、そのときに設定されているキーコードをユーザに対して提示する。
【０００６】
このような携帯端末は、例えば、１つのキーに対して縦表示用及び横表示用の双方のシンボルが印字されていて、縦表示用のキーライトが点灯すると縦表示用のシンボルが表示され、横表示用のキーライトが点灯すると縦表示用のシンボルが表示されるように構成されている。なお、これらの携帯端末は、ユーザの不使用時には双方のキーライトを消灯させることにより省電力を図っている。このため、キーライトが消灯していてユーザがキーパッドのシンボルが認識できないにも関わらずキー操作がされてしまった場合に、誤動作が発生するおそれがあった。
【０００７】
本発明はこのような事情を考慮してなされたもので、キーライトのＯＮ／ＯＦＦ状態を適切に制御することにより、消費電力の節約をしつつ誤動作を防止するとともに、ユーザの操作性に優れた携帯端末を提供することを目的とする。
【課題を解決するための手段】
【０００８】
上記課題を解決するために、本発明に係る携帯端末は、少なくとも通常モードまたは第１の省電力モードに遷移可能な携帯端末であって、各々のキーにそれぞれ対応するキーコードを示すシンボルが表示されるようにキーパッドを照明するキーパッドの照明手段と、前記キーパッドの入力を検知する第１の検知手段と、前記通常モードにおいて前記第１の検知手段により入力が検知された場合、この入力に基づいた処理を行う入力手段と、前記携帯端末が前記第１の省電力モードに設定されている間、前記キーパッドの照明手段をＯＦＦにするとともに、前記第１の省電力モードにおいて前記第１の検知手段により入力が検知された場合、前記携帯端末を前記通常モードに遷移させて前記キーパッドの照明手段をＯＮにする制御手段と、を備えたことを特徴とする。
【発明の効果】
【０００９】
本発明に係る携帯端末によると、キーライトのＯＮ／ＯＦＦ状態を適切に制御することにより、消費電力の節約をしつつ誤動作を防止するとともに、優れたユーザビリティを実現することが可能となる。この技術は、キーライトの点灯状態によりキーコードが切り替わるキーパッドが採用され、そのときにキーパッドに設定されているキーコードをキーライトにより照明してユーザに提示するタイプの携帯端末には、特に有用である。
【図面の簡単な説明】
【００１０】
【図１】（Ａ）は、本発明に係る携帯端末（携帯電話機）の開いた状態を示す斜視図、（Ｂ）は、本発明に係る携帯端末（携帯電話機）の閉じた状態を示す斜視図。
【図２】本発明に係る携帯端末（携帯電話機）の機能を示すブロック図。
【図３】（Ａ）は、本発明に係る携帯端末（携帯電話機）が縦方向に使用された場合のキーコードを示す図、（Ｂ）は、本発明に係る携帯端末（携帯電話機）が横方向に使用された場合のキーコードを示す図。
【図４】第１実施形態の携帯端末（携帯電話機）がキーライト制御方法を行う際の手順を示すフローチャート。
【図５】第２実施形態の携帯端末（携帯電話機）がキーライト制御方法を行う際の手順を示すフローチャート。
【図６】第３実施形態の携帯端末（携帯電話機）がキーライト制御方法を行う際の手順を示すフローチャート。
【図７】第４実施形態の携帯端末（携帯電話機）がキーライト制御方法を行う際の手順を示すフローチャート。
【図８】第５実施形態の携帯端末（携帯電話機）がキーライト制御方法を行う際の手順を示すフローチャート。
【図９】第６実施形態の携帯端末（携帯電話機）がキーライト制御方法を行う際の手順を示すフローチャート。
【図１０】第７実施形態の携帯端末（携帯電話機）がキーライト制御方法を行う際の手順を示すフローチャート。
【図１１】第８実施形態の携帯端末（携帯電話機）がキーライト制御方法を行う際の手順を示すフローチャート。
【発明を実施するための形態】
【００１１】
〔第１実施形態〕
本発明に係る携帯端末の第１実施形態について、添付図面の図１乃至図４を参照しながら説明する。第１実施形態の携帯端末として、複数の筐体がスライド自在に結合されてなるスライド型の携帯電話機１を例に挙げて説明する。
【００１２】
図１（Ａ）は、携帯電話機１の開いた状態を示す斜視図、図１（Ｂ）は、携帯電話機１の閉じた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で相互に一面を覆うように積層されることにより形成されている。これらの上筐体１０及び下筐体１１は、所定方向（例えば図１のＸ方向）に相互に所定長さだけスライド可能なように結合されていて、携帯電話機１は、上筐体１０を下筐体１１に対してスライドさせることにより、閉じた状態から開いた状態に、あるいは開いた状態から閉じた状態に変形する。
【００１３】
上筐体１０の外面（下筐体１１に対面しない側の面）には、文字や画像などを含んだ表示データを表示するとともに接触により指示を入力するタッチスクリーン１２、音声を出力するためのスピーカ１３、音声を集音するマイクロフォン１４が設けられている。タッチスクリーン１２は、例えばディスプレイの上に、表面に接触を検知するための素子が複数配置され、さらにその上に透明なスクリーンが積層されることにより形成されている。タッチスクリーン１２上での接触を感知する方法は、圧力の変化を感知する感圧式であっても、静電気による電気信号を感知する静電式であっても、その他の方法であっても良い。なお、タッチスクリーン１２は、表示機能のみを備えていて入力機能を備えていないディスプレイ、例えば液晶ディスプレイや有機ＥＬ（Ｅｌｅｃｔｒｏ−Ｌｕｍｉｎｅｓｃｅｎｃｅ）ディスプレイなどであっても良い。
【００１４】
これらのタッチスクリーン１２、スピーカ１３、及びマイクロフォン１４は、携帯電話機１が閉じた状態であっても開いた状態であっても外部に露出するように設けられている。よって、携帯電話機１が閉じた状態であっても開いた状態であっても、ユーザはタッチスクリーン１２の画面を視認したりタッチスクリーン１２を介して携帯電話機１に指示を入力したりすることができる。
【００１５】
下筐体１１の内面（上筐体１０に対面する側の面）には、ユーザにより押下されることにより指示を入力する複数の操作キー１５（キーパッド）が設けられている。これらの操作キー１５は、例えば、発呼を指示するための発呼キー、終話を指示するための終話キー、メール機能の起動を指示するためのメールキー、上下左右の方向を入力するための方向キー、数字や文字を入力するためのテンキーなどのキーコードにそれぞれ対応付けられている。操作キー１５の各々のキーに対応付けられるキーコードは状況に応じて切り替えられる。
【００１６】
また、操作キー１５は例えば透明又は半透明の樹脂で形成されるとともに背面に照明装置（キーライト）が備えられていて、使用時にこのキーライトによって照明されることにより、そのときに操作キー１５に設定されているキーコードが操作キー１５の表面に映し出されることによりユーザに対して提示される。すなわち、携帯電話機１が各々の操作キー１５にキーコードを設定する際には、例えば、携帯電話機１がキーコード毎にキーライトを備えていてキーコードの変更に応じてキーライトを変更することにより、ユーザに対して常に正しいキーコードを提示することができる。また、例えば暗い場所で携帯電話機１が操作されている場合でも、操作キー１５がキーライトにより照明されることにより、ユーザは操作キー１５を用いて正確に携帯電話機１に指示を入力することができる。
【００１７】
これらの操作キー１５は、携帯電話機１が閉じた状態のときには上筐体１０により覆われていて外部に露出していないが、上筐体１０を下筐体１１に対してスライドさせて携帯電話機１を開いた状態に変形させたときには外部に露出される。よって、携帯電話機１が開いた状態のときには、ユーザは操作キー１５を介して指示を入力することができるが、携帯電話機１が閉じた状態のときには、ユーザは操作キー１５を介して携帯電話機１に指示を入力することができない。
【００１８】
下筐体１１の側面には、ユーザにより押下されることにより指示を入力する複数のサイドキー１６が設けられている。これらのサイドキー１６は、例えば、マナーモードの設定を切り替えたりテレビ機能などを起動したりするためのショートカットキーなどのキーコードが対応付けられている。また、サイドキー１６のうちの一部は、操作キー１５のキーライトのＯＮ／ＯＦＦ状態を切り替えるためのキーである。
【００１９】
これらのサイドキー１６は、携帯電話機１が閉じた状態であっても開いた状態であっても外部に露出するように設けられている。よって、携帯電話機１が閉じた状態であっても開いた状態であっても、ユーザはサイドキー１６を介して携帯電話機１に指示を入力することができる。
【００２０】
図２は、携帯電話機１の機能を示すブロック図である。携帯電話機１は、図２に示すように、主制御部２０、電源回路部２１、操作入力制御部２２、キーライト制御部２３、表示制御部２４、音声制御部２５、通信制御部２６、テレビ受信部２７、加速度検出部２８、及び記憶部２９が、バスによって相互に通信可能に接続されて構成されている。
【００２１】
主制御部２０は、様々な演算処理を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するキーライト制御処理や、その他の様々な演算処理や制御処理等を行う。電源回路部２１は、例えばユーザによる操作キー１５を介した入力に基づいて電源のオン／オフ状態を切り替え、電源がオン状態の場合には電力供給源（バッテリ等）から各部に対して電力を供給して、携帯電話機１を動作可能にする。
【００２２】
操作入力制御部２２はタッチスクリーン１２に対する入力インタフェースを備え、タッチスクリーン１２に接触があった場合、接触のあった位置を示す信号を生成して、この信号を主制御部２０に伝送する。また、操作入力制御部２２は操作キー１５、サイドキー１６に対する入力インタフェースを備え、いずれかの操作キー１５またはサイドキー１６が押下された場合、押下されたキーを示す信号を生成して主制御部２０に伝送する。信号を受信した主制御部２０は、この信号に基づいた処理を行う。
【００２３】
キーライト制御部２３は、主制御部２０の制御に基づいて、操作キー１５に備えられたキーライトのＯＮ／ＯＦＦ状態を制御する。表示制御部２４はタッチスクリーン１２に対する表示インタフェースを備え、主制御部２０の制御に基づいて、文字や画像を含んだ表示データをタッチスクリーン１２に表示する。
【００２４】
音声制御部２５は、主制御部２０の制御に基づいて、マイクロフォン１４で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２５】
通信制御部２６は、主制御部２０の制御に基づいて、基地局からアンテナ２６ａを介して受信した受信信号をスペクトラム逆拡散処理してデータを復元する。このデータは、主制御部２０の指示により、音声制御部２５に伝送されてスピーカ１３から出力されたり、表示制御部２４に伝送されてタッチスクリーン１２に表示されたり、または記憶部２９に記録されたりする。また通信制御部２６は、主制御部２０の制御に基づいて、マイクロフォン１４で集音された音声データや操作キー１５を介して入力されたデータや記憶部２９に記憶されたデータを取得すると、これらのデータに対してスペクトラム拡散処理を行い、基地局に対してアンテナ２６ａを介して送信する。
【００２６】
テレビ受信部２７は、地上波デジタルテレビ放送（地上波デジタルワンセグ放送も含む）の変調波を受信するアンテナ２７ａを備えている。またテレビ受信部２７は、受信した変調波を復調して地上波デジタルテレビ放送の符号化映像情報を生成し、この符号化映像情報を復号し、符号化映像情報のうちの音声情報を音声制御部２５に伝送するとともに、符号化映像情報のうちの動画像情報を表示制御部２４に伝送する。
【００２７】
加速度検出部２８は、携帯電話機１に加わる加速度を検出するための加速度センサ２８ａを備え、主制御部２０の制御に基づいて、または一定時間経過ごとに、この加速度センサ２８ａにより検出された加速度（Ｘ、Ｙ、Ｚ方向にそれぞれ加わる加速度）を取得して、検出値を示す信号を生成して主制御部２０に伝送する。信号を受信した主制御部２０は、携帯電話機１に加わっている加速度に基づいて携帯電話機１の使用状態を判断して、使用状態に応じて、タッチスクリーン１２の画面の表示方向を設定したり、操作キー１５にキーコードを設定したりする。
【００２８】
記憶部２９は、主制御部２０が行う処理について、処理プログラムや処理に必要なデータなどを記憶するＲＯＭ（Ｒｅａｄ  Ｏｎｌｙ  Ｍｅｍｏｒｙ）やハードディスク、不揮発性メモリ、データベース、主制御部２０が処理を行う際にデータを一時的に記憶するＲＡＭ（Ｒａｎｄｏｍ  Ａｃｃｅｓｓ  Ｍｅｍｏｒｙ）などの記憶装置から構成される。また、主制御部２０が後述するキーライト制御処理を行う際の処理プログラムは、例えばＲＯＭに記憶されているものとする。
【００２９】
図３（Ａ）は、携帯電話機１を縦方向で使用した場合に操作キー１５に設定されるキーコードを示す図、図３（Ｂ）は、携帯電話機１を横方向で使用した場合に操作キー１５に設定されるキーコードを示す図である。携帯電話機１は、加わっている加速度に基づいてユーザによる保持方向を判断し、図３（Ａ）及び図３（Ｂ）に示すように、例えばユーザにより縦方向に保持された場合や横方向に保持された場合に、それぞれタッチスクリーン１２の表示方向を切り替えるとともに、操作キー１５のキーコードを切り替える。
【００３０】
このときに携帯電話機１は、例えばキーライトで照明される操作キー１５のシンボルを切り替えることにより、そのときに設定されているキーコードを的確にユーザに提示することができる。例えば、図３（Ａ）に示すように、携帯電話機１が縦方向で使用されている場合には、操作キー１５に「０」乃至「９」などの電話機用のキーコードが設定されて操作キー１５の表面にそれらのキーコードがシンボルとして表示され、図３（Ｂ）に示すように、携帯電話機１が横向きで使用されている場合には、操作キー１５にＱＷＥＲＴＹキーのキーコードが設定されて操作キー１５の表面にそれらのキーコードがシンボルとして表示される。
【００３１】
また、携帯電話機１は、ユーザの不使用時にはキーライトを消灯させることにより、操作キー１５の表面を、何も表示されていない状態（操作キー１５の表面が無地の状態）に遷移させる。そして、操作キー１５の表面に何も表示されていない場合には、携帯電話機１は、ユーザがキーを押下してもそのキーに対応する処理を実行せずに、キーライトを点灯させる（操作キー１５のシンボルを照明させる）処理を行うのみである。そして携帯電話機１は、キーライトが点灯した状態で再度操作キー１５が押下された場合には、そのキーに対応する処理を実行する。
【００３２】
ここで、携帯電話機１は、省電力化を図るために、タッチスクリーン１２の表示状態や輝度などを切り替える機能を備えている。タッチスクリーン１２に設定され得る画面状態は、下記の（１）乃至（３）の３段階で切り替わる。  
（１）画面表示状態  ＆  高輝度点灯状態
（２）画面表示状態  ＆  低輝度点灯状態
（３）画面非表示状態
それぞれの画面状態での消費電力量は、大きいほうから順に（１）＞（２）＞（３）となる。携帯電話機１においてユーザ操作や割り込み動作が発生しない場合には、携帯電話機１は省電力のために、（１）→（２）→（３）の順にタッチスクリーン１２の画面状態を切り替えていく。
【００３３】
また、携帯電話機１は、省電力化を図るために、操作キー１５のキーライトの点灯状態を切り替える機能を備えている。キーライトの点灯状態は、下記の（Ａ）及び（Ｂ）の２段階である。  
（Ａ）キーライト点灯状態
（Ｂ）キーライト消灯状態
それぞれの状態での消費電力量は、大きいほうから順に（Ａ）＞（Ｂ）となる。携帯電話機１においてユーザ操作や割込み動作が発生しない場合は、携帯電話機１は、省電力のために、（Ａ）→（Ｂ）の順にキーライトの点灯状態を切り替えていく。
【００３４】
従来の携帯端末では、ユーザによるキー操作や割り込み動作が発生しない場合には、省電力化を目的として、画面状態とキーライトの点灯状態との関係を、（１）＆（Ａ）→（２）＆（Ｂ）→（３）＆（Ｂ）の順などに切り替えるように制御されている。しかしながら、上述したような複数のキーコードを備えた携帯端末の場合、キーコードを示すシンボルをキーライトにより照明しているため、キーライトを消灯したときにはキーパッドの表面が無地の状態となり、ユーザがキーコードを示すシンボルを認識できなくなってしまう。
【００３５】
このときに問題となるのが、（２）＆（Ｂ）の状態である。画面状態が（２）の状態では、（１）の状態より画面の輝度が低いがユーザは画面表示の内容を認識できる程度に明るい。しかし、キーライトが消灯しているため、キーコードを示すシンボルが非表示となり、ユーザはそのときに設定されているキーコードを認識することができない。したがって、ユーザは画面に表示された内容に対するキー入力を正確に行うことが困難な状況になってしまう。
【００３６】
携帯電話機１は、画面状態に応じて操作キー１５のキーコードを切り替える機能を備えているとともに、無操作状態が一定時間経過した場合、画面の表示を停止させるとともに操作キー１５のキーライトを消灯させることにより消費電力を節約する機能を備えている。すなわち、この状態で操作キー１５が押下されても、携帯電話機１は、操作キー１５に対応した処理を行わず、キーライトの点灯と画面表示の復帰処理のみを行うように制御する。そして、さらに操作キー１５が押下された場合に、押下された操作キー１５に対応した処理が行われる。これにより、ユーザがキーコードを認識できないために誤ったキー操作をしてしまうことが防止される。
【００３７】
このように、携帯電話機１が画面状態と連動させてキーライトの点灯状態を制御するキーライト制御処理を行う際の手順について、図４に示すフローチャートに基づいて説明する。以下、例えば「ステップＳ１０１」を「Ｓ１０１」のように、「ステップ」の語句を省略して説明する。
【００３８】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、タッチスクリーン１２に画面表示するとともに操作キー１５のキーライトを点灯するが、ユーザにより操作されていない間は省電力モードに設定され、タッチスクリーン１２の画面表示を停止するとともに操作キー１５のキーライトを消灯する。
【００３９】
そして携帯電話機１は、通常モードに設定されているときに、例えば操作キー１５が押されない状態が所定時間以上経過した場合に省電力モードに遷移する。また、携帯電話機１は、省電力モードに設定されている時に、例えばいずれかの操作キー１５が押されることにより通常モードに遷移する。なお、始めに携帯電話機１が通常モードに設定されていて、タッチスクリーン１２に画面が表示されているとともに操作キー１５のキーライトが点灯中であるものとする。
【００４０】
主制御部２０は、この状態で操作キー１５が押されたか否かを判断する（Ｓ１０１）。操作キー１５が押された場合（Ｓ１０１のＹｅｓ）は、主制御部２０は、この押された操作キー１５に対応する処理を行う（Ｓ１０３）。
【００４１】
ステップＳ１０３にて処理を行った後、あるいは、操作キー１５が押されていない場合（Ｓ１０１のＮｏ）は、主制御部２０は、所定時間が経過したか否かを判断する（Ｓ１０５）。このとき主制御部２０は、最後に操作キー１５が押されてから所定時間（例えば５秒）が経過したか、または、最後に処理を行ってから所定時間が経過したかを判断する。所定時間は、通常モードから省電力モードに遷移するための基準となる無操作状態の継続時間であり、予め記憶部２９に記憶されている。
【００４２】
所定時間が経過していない場合（Ｓ１０５のＮｏ）は、ステップＳ１０１に戻って、主制御部２０は再び操作キー１５が押されたか否かを判断する。所定時間が経過した場合（Ｓ１０５のＹｅｓ）は、主制御部２０は、操作キー１５のキーライトを消灯する（Ｓ１０７）。また主制御部２０は、タッチスクリーン１２の表示を停止する（Ｓ１０９）。ステップＳ１０７及びＳ１０９の処理により、携帯電話機１は省電力モードに遷移する。携帯電話機１は、省電力モードにおいては、ユーザにより操作キー１５の操作がされても、その操作されたキーに対応する処理を行わない。
【００４３】
主制御部２０は、操作キー１５が押されたか否かを判断する（Ｓ１１１）。操作キー１５が押されていない場合（Ｓ１１１のＮｏ）は、主制御部２０は操作キー１５が押されるまで待機する。操作キー１５が押された場合（Ｓ１１１のＹｅｓ）は、主制御部２０は、タッチスクリーン１２の画面を表示する（Ｓ１１３）。また主制御部２０は、操作キー１５のキーライトを点灯する（Ｓ１１５）。ステップＳ１１３及びＳ１１５の処理により、携帯電話機１は通常モードに遷移する。携帯電話機１が通常モードに遷移すると、ステップＳ１０１に戻り、操作キー１５が押された場合に、この押されたキーに対応する処理が行われる。
【００４４】
このようにして携帯電話機１は、省電力モード（表示ＯＦＦ、キーライトＯＦＦ）において操作キー１５が押された際に、まず通常モード（表示ＯＮ、キーライトＯＮ）に遷移し、再度操作キー１５が押された場合に、この押された操作キー１５に対応する処理を行う。これにより、操作キー１５のシンボル表示が消灯されて操作キー１５の表面が無地になった状態においてユーザの意図しない処理の発生を防止できるとともに、効率的に無操作時の消費電力の節約を行うことができる。
【００４５】
第１実施形態によると、キーライトのＯＮ／ＯＦＦ状態を適切に制御することにより、消費電力の節約をしつつ誤動作を防止するとともに、優れたユーザビリティを実現することが可能となる。携帯電話機１が、キーライトの点灯状態によりキーコードが切り替わるキーパッドを採用し、そのときにキーパッドに設定されているキーコードをキーライトにより照明してユーザに提示する場合には、特に有用である。
【００４６】
〔第２実施形態〕
本発明に係る携帯端末の第２実施形態について、添付図面の図５を参照しながら説明する。以下、第１実施形態と同一の構成には同一の符号を付し、重複する説明を省略する。第２実施形態の携帯電話機１は、図１（Ａ）及び図１（Ｂ）に示すように、第１実施形態と同一の構成を備えている。また第２実施形態の携帯電話機１は、第１実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【００４７】
第１実施形態の携帯電話機１は、通常モードから省電力モードに遷移する際に、操作キー１５のキーライトの消灯とタッチスクリーン１２の表示の停止とを同時に行うものであったが、第２実施形態の携帯電話機１は、通常モードから省電力モードに遷移する際に、操作キー１５のキーライトを消灯した後に、一定時間経過後にタッチスクリーン１２の表示を停止するものである。すなわち、携帯電話機１において所定時間の無操作状態が継続した場合、操作キー１５のキーライトを消灯して消費電力を節約する。この状態で操作キー１５が押下されても、操作キー１５に対応した処理が行われず、キーライトを点灯させる処理のみが行われる。そして、さらに操作キー１５を押下されたときに、この押下された操作キー１５に対応した処理が行われる。
【００４８】
携帯電話機１が、画面状態と連動させてキーライトの点灯状態を制御するキーライト制御処理を行う際の手順について、図５に示すフローチャートに基づいて説明する。
【００４９】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、タッチスクリーン１２に画面表示するとともに操作キー１５のキーライトを点灯するが、ユーザにより操作されていない間は省電力モードに設定され、操作キー１５のキーライトを消灯するとともに、タッチスクリーン１２の画面表示を停止する。
【００５０】
そして携帯電話機１は、通常モードに設定されているときに、例えば操作キー１５が押されない状態が所定時間以上経過した場合に省電力モードに遷移する。また、携帯電話機１は、省電力モードに設定されている時に、例えばいずれかの操作キー１５が押されることにより通常モードに遷移する。なお、始めに携帯電話機１が通常モードに設定されていて、タッチスクリーン１２に画面が表示されているとともに操作キー１５のキーライトが点灯中であるものとする。
【００５１】
主制御部２０は、この状態で操作キー１５が押されたか否かを判断する（Ｓ２０１）。操作キー１５が押された場合（Ｓ２０１のＹｅｓ）は、主制御部２０は、この押された操作キー１５に対応する処理を行う（Ｓ２０３）。
【００５２】
ステップＳ２０３にて処理を行った後、あるいは、操作キー１５が押されていない場合（Ｓ２０１のＮｏ）は、主制御部２０は、所定時間（例えば５秒）が経過したか否かを判断する（Ｓ２０５）。このとき主制御部２０は、最後に操作キー１５が押されてから所定時間が経過したか、または、最後に処理を行ってから所定時間が経過したかを判断する。
【００５３】
所定時間が経過していない場合（Ｓ２０５のＮｏ）は、ステップＳ２０１に戻って、主制御部２０は再び操作キー１５が押されたか否かを判断する。所定時間が経過した場合（Ｓ２０５のＹｅｓ）は、主制御部２０は、操作キー１５のキーライトを消灯する（Ｓ２０７）。
【００５４】
そして再び主制御部２０は、操作キー１５が押されたか否かを判断する（Ｓ２０９）。操作キー１５が押された場合（Ｓ２０９のＹｅｓ）は、主制御部２０は、ステップＳ２０７にて消灯した操作キー１５のキーライトを再び点灯する（Ｓ２１０）。そして、ステップＳ２０１に戻って、主制御部２０は再び操作キー１５が押されたか否かを判断する。操作キー１５が押されていない場合（Ｓ２０９のＮｏ）は、主制御部２０は、ステップＳ２０７にて操作キー１５のキーライトが消灯されてから所定時間（例えば５秒）が経過したか否か、すなわち無操作状態が所定時間継続したか否かを判断する（Ｓ２１１）。
【００５５】
キーライトが消灯されてから無操作状態が所定時間が継続していない場合（Ｓ２１１のＮｏ）は、ステップＳ２０９に戻って、主制御部２０は再び操作キー１５が押されたか否かを判断する。キーライトが消灯されてから無操作状態が所定時間が継続した場合（Ｓ２１１のＹｅｓ）は、主制御部２０は、タッチスクリーン１２の表示を停止する（Ｓ２１３）。ステップＳ２０７及びＳ２１３の処理により、携帯電話機１は省電力モードに遷移する。携帯電話機１は、省電力モードにおいては、ユーザにより操作キー１５の操作がされても、その操作されたキーに対応する処理を行わない。
【００５６】
主制御部２０は、操作キー１５が押されたか否かを判断する（Ｓ２１５）。操作キー１５が押されていない場合（Ｓ２１５のＮｏ）は、主制御部２０は操作キー１５が押されるまで待機する。操作キー１５が押された場合（Ｓ２１５のＹｅｓ）は、主制御部２０は、タッチスクリーン１２の画面を表示する（Ｓ２１７）。また主制御部２０は、操作キー１５のキーライトを点灯する（Ｓ２１９）。ステップＳ２１７及びＳ２１９の処理により、携帯電話機１は通常モードに遷移する。携帯電話機１が通常モードに遷移すると、ステップＳ２０１に戻り、操作キー１５が押された場合に、この押されたキーに対応する処理が行われる。
【００５７】
このようにして携帯電話機１は、通常モード（表示ＯＮ、キーライトＯＮ）において無操作状態が所定時間継続したときに操作キー１５のキーライトを消灯し、さらに無操作状態が所定時間継続したときにタッチスクリーン１２の画面表示を停止する。また携帯電話機１は、省電力モード（表示ＯＦＦ、キーライトＯＦＦ）において操作キー１５が押された際に、まず通常モードに遷移し、再度操作キー１５が押された場合に、この押された操作キー１５に対応する処理を行う。これにより、操作キー１５のシンボル表示が消灯されて無地になった状態においてユーザの意図しない処理の発生を防止できるとともに、効率的に無操作時の消費電力の節約を行うことができる。
【００５８】
第２実施形態によると、キーライトのＯＮ／ＯＦＦ状態を適切に制御することにより、消費電力の節約をしつつ誤動作を防止するとともに、優れたユーザビリティを実現することが可能となる。
【００５９】
〔第３実施形態〕
本発明に係る携帯端末の第３実施形態について、添付図面の図６を参照しながら説明する。以下、第１実施形態及び第２実施形態と同一の構成には同一の符号を付し、重複する説明を省略する。第３実施形態の携帯電話機１は、図１（Ａ）及び図１（Ｂ）に示すように、第１実施形態及び第２実施形態と同一の構成を備えている。また第３実施形態の携帯電話機１は、第１実施形態及び第２実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【００６０】
第３実施形態の携帯電話機１は、通常モードから省電力モードに遷移する際に、操作キー１５のキーライトを消灯するとともに、タッチスクリーン１２の輝度を段階的に下げつつ表示を停止するものである。すなわち、携帯電話機１において無操作状態が初手時間継続した場合、操作キー１５のキーライトを消灯してタッチスクリーン１２の輝度を下げるとともに、さらに無操作状態が所定時間継続した場合に、タッチスクリーン１２の表示を停止して消費電力を節約する。この状態で操作キー１５が押下されても、操作キー１５に対応した処理が行われず、キーライトを点灯させる処理のみが行われる。そして、さらに操作キー１５を押下されたときに、この押下された操作キー１５に対応した処理が行われる。
【００６１】
携帯電話機１が、画面状態と連動させてキーライトの点灯状態を制御するキーライト制御処理を行う際の手順について、図６に示すフローチャートに基づいて説明する。
【００６２】
携帯電話機１は、通常モードまたは第１の省電力モード、第２の省電力モードに遷移可能であり、通常モードに設定されている場合は操作キー１５の操作に対応する処理を行い、第１の省電力モード及び第２の省電力モードに設定されている場合は、通常モードに遷移するまでの間、操作キー１５が操作されてもその操作に対応する処理を行わない。すなわち携帯電話機１は、ユーザにより操作されている間は通常モードに設定され、タッチスクリーン１２に画面表示するとともに操作キー１５のキーライトを点灯するが、ユーザにより操作されていない間は第２の省電力モードに設定され、操作キー１５のキーライトを消灯するとともに、タッチスクリーン１２の画面表示を停止する。
【００６３】
そして携帯電話機１は、通常モードに設定されているときに、例えば操作キー１５が押されない状態が所定時間以上経過した場合に第１の省電力モードに遷移する。また携帯電話機１は、例えば操作キー１５が押されない状態がさらに所定時間以上経過した場合に第２の省電力モードに遷移する。そして携帯電話機１は、第１の省電力モードまたは第２の省電力モードに設定されている時に、例えばいずれかの操作キー１５が押されることにより通常モードに遷移する。なお、始めに携帯電話機１が通常モードに設定されていて、タッチスクリーン１２に画面が輝度が高い状態で表示されているとともに操作キー１５のキーライトが点灯中であるものとする。
【００６４】
主制御部２０は、この状態で操作キー１５が押されたか否かを判断する（Ｓ３０１）。操作キー１５が押された場合（Ｓ３０１のＹｅｓ）は、主制御部２０は、この押された操作キー１５に対応する処理を行う（Ｓ３０３）。
【００６５】
ステップＳ３０３にて処理を行った後、あるいは、操作キー１５が押されていない場合（Ｓ３０１のＮｏ）は、主制御部２０は、所定時間（例えば５秒）が経過したか否かを判断する（Ｓ３０５）。このとき主制御部２０は、最後に操作キー１５が押されてから所定時間が経過したか、または、最後に処理を行ってから所定時間が経過したかを判断する。
【００６６】
所定時間が経過していない場合（Ｓ３０５のＮｏ）は、ステップＳ３０１に戻って、主制御部２０は再び操作キー１５が押されたか否かを判断する。所定時間が経過した場合（Ｓ３０５のＹｅｓ）は、主制御部２０は、操作キー１５のキーライトを消灯する（Ｓ３０７）。また主制御部２０は、タッチスクリーン１２の輝度を下げる（Ｓ３０９）。ステップＳ３０７及びＳ３０９の処理により、携帯電話機１は第１の省電力モードに遷移する。携帯電話機１は、第１の省電力モードにおいては、ユーザに操作キー１５による操作がされても、その操作されたキーに対応する処理を行わない。
【００６７】
そして再び主制御部２０は、操作キー１５が押されたか否かを判断する（Ｓ３１０）。操作キー１５が押された場合（Ｓ３１０のＹｅｓ）は、主制御部２０は、ステップＳ３０９にて下げたタッチスクリーン１２の輝度を再び上げる（Ｓ３１１）。また主制御部２０は、ステップＳ３０７にて消灯した操作キー１５のキーライトを再び点灯する（Ｓ３１２）。ステップＳ３１１及びＳ３１２の処理により、携帯電話機１は通常モードに遷移する。携帯電話機１は、通常モードにおいては、ユーザに操作キー１５による操作がされると、その操作されたキーに対応する処理を行う。そして、ステップＳ３０１に戻って、主制御部２０は再び操作キー１５が押されたか否かを判断する。
【００６８】
操作キー１５が押されていない場合（Ｓ３１０のＮｏ）は、主制御部２０は、ステップＳ３０７にて操作キー１５のキーライトが消灯されてから所定時間（例えば５秒）が経過したか否か、すなわち無操作状態が所定時間継続したか否かを判断する（Ｓ３１３）。
【００６９】
キーライトが消灯されてから無操作状態が所定時間が継続していない場合（Ｓ３１３のＮｏ）は、ステップＳ３１１に戻って、主制御部２０は再び操作キー１５が押されたか否かを判断する。キーライトが消灯されてから無操作状態が所定時間が継続した場合（Ｓ３１３のＹｅｓ）は、主制御部２０は、タッチスクリーン１２の表示を停止する（Ｓ３１５）。ステップＳ３１５の処理により、携帯電話機１は第２の省電力モードに遷移する。携帯電話機１は、第２の省電力モードにおいては、ユーザにより操作キー１５の操作がされても、その操作されたキーに対応する処理を行わない。
【００７０】
主制御部２０は、操作キー１５が押されたか否かを判断する（Ｓ３１７）。操作キー１５が押されていない場合（Ｓ３１７のＮｏ）は、主制御部２０は操作キー１５が押されるまで待機する。操作キー１５が押された場合（Ｓ３１７のＹｅｓ）は、主制御部２０は、タッチスクリーン１２の画面を表示する（Ｓ３１９）。また主制御部２０は、操作キー１５のキーライトを点灯する（Ｓ３２１）。ステップＳ３１９及びＳ３２１の処理により、携帯電話機１は通常モードに遷移する。携帯電話機１が通常モードに遷移すると、ステップＳ３０１に戻り、操作キー１５が押された場合に、この押されたキーに対応する処理が行われる。
【００７１】
このようにして携帯電話機１は、通常モード（表示ＯＮ、キーライトＯＮ）において無操作状態が所定時間継続したときに操作キー１５のキーライトを消灯してタッチスクリーン１２の輝度を下げて第１の省電力モード（表示ＯＮ（低輝度）、キーライトＯＦＦ）に遷移し、さらに無操作状態が所定時間継続したときにタッチスクリーン１２の画面表示を停止して第２の省電力モード（表示ＯＦＦ、キーライトＯＦＦ）に遷移する。また携帯電話機１は、第１の省電力モードまたは第２の省電力モードにおいて操作キー１５が押された際に、まず通常モードに遷移し、再度操作キー１５が押された場合に、この押された操作キー１５に対応する処理を行う。これにより、操作キー１５のシンボル表示が消灯されて無地になった状態においてユーザの意図しない処理の発生を防止できるとともに、効率的に無操作時の消費電力の節約を行うことができる。
【００７２】
第３実施形態によると、キーライトのＯＮ／ＯＦＦ状態を適切に制御することにより、消費電力の節約をしつつ誤動作を防止するとともに、優れたユーザビリティを実現することが可能となる。
【００７３】
〔第４実施形態〕
本発明に係る携帯端末の第４実施形態について、添付図面の図７を参照しながら説明する。以下、第１実施形態乃至第３実施形態と同一の構成には同一の符号を付し、重複する説明を省略する。第４実施形態の携帯電話機１は、図１（Ａ）及び図１（Ｂ）に示すように、第１実施形態乃至第３実施形態と同一の構成を備えている。また第３実施形態の携帯電話機１は、第１実施形態乃至第３実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【００７４】
第４実施形態の携帯電話機１は、通常モードから省電力モードに遷移する際に、操作キー１５のキーライトを消灯するとともに、タッチスクリーン１２の輝度を段階的に下げつつ表示を停止するものである。すなわち、携帯電話機１において無操作状態が所定時間継続した場合、タッチスクリーン１２の輝度を下げるとともに、さらに無操作状態が所定時間継続した場合に、操作キー１５のキーライトを消灯してタッチスクリーン１２の表示を停止して消費電力を節約する。この状態で操作キー１５が押下されても、操作キー１５に対応した処理が行われず、キーライトを点灯させる処理のみが行われる。そして、さらに操作キー１５を押下されたときに、この押下された操作キー１５に対応した処理が行われる。
【００７５】
携帯電話機１が、画面状態と連動させてキーライトの点灯状態を制御するキーライト制御処理を行う際の手順について、図７に示すフローチャートに基づいて説明する。
【００７６】
携帯電話機１は、通常モードまたは第１の省電力モード、第２の省電力モードに遷移可能であり、通常モード及び第１の省電力モードに設定されている場合は操作キー１５の操作に対応する処理を行い、第２の省電力モードに設定されている場合は、通常モードに遷移するまでの間、操作キー１５が操作されてもその操作に対応する処理を行わない。すなわち携帯電話機１は、ユーザにより操作されている間は通常モードに設定され、タッチスクリーン１２に画面表示するとともに操作キー１５のキーライトを点灯するが、ユーザにより操作されていない間は第１の省電力モード、第２の省電力モードに順次設定され、操作キー１５のキーライトを消灯するとともに、タッチスクリーン１２の画面表示を停止する。
【００７７】
そして携帯電話機１は、通常モードに設定されているときに、例えば操作キー１５が押されない状態が所定時間以上経過した場合に第１の省電力モードに遷移する。また携帯電話機１は、例えば操作キー１５が押されない状態がさらに所定時間以上経過した場合に第２の省電力モードに遷移する。そして携帯電話機１は、第１の省電力モードまたは第２の省電力モードに設定されている時に、例えばいずれかの操作キー１５が押されることにより通常モードに遷移する。なお、始めに携帯電話機１が通常モードに設定されていて、タッチスクリーン１２に画面が輝度が高い状態で表示されているとともに操作キー１５のキーライトが点灯中であるものとする。
【００７８】
主制御部２０は、この状態で操作キー１５が押されたか否かを判断する（Ｓ４０１）。操作キー１５が押された場合（Ｓ４０１のＹｅｓ）は、主制御部２０は、この押された操作キー１５に対応する処理を行う（Ｓ４０３）。
【００７９】
ステップＳ４０３にて処理を行った後、あるいは、操作キー１５が押されていない場合（Ｓ４０１のＮｏ）は、主制御部２０は、所定時間（例えば５秒）が経過したか否かを判断する（Ｓ４０５）。このとき主制御部２０は、最後に操作キー１５が押されてから所定時間が経過したか、または、最後に処理を行ってから所定時間が経過したかを判断する。
【００８０】
所定時間が経過していない場合（Ｓ４０５のＮｏ）は、ステップＳ４０１に戻って、主制御部２０は再び操作キー１５が押されたか否かを判断する。所定時間が経過した場合（Ｓ４０５のＹｅｓ）は、主制御部２０は、タッチスクリーン１２の輝度を下げる（Ｓ４０７）。ステップＳ４０７の処理により、携帯電話機１は第１の省電力モードに遷移する。携帯電話機１は、第１の省電力モードにおいては、ユーザに操作キー１５による操作がされたら、その操作されたキーに対応する処理を行う。
【００８１】
そして再び主制御部２０は、操作キー１５が押されたか否かを判断する（Ｓ４０９）。操作キー１５が押された場合（Ｓ４０９のＹｅｓ）は、主制御部２０は、ステップＳ４０７にて下げたタッチスクリーン１２の輝度を再び上げる（Ｓ４１１）。また主制御部２０は、この押された操作キー１５に対応する処理を行う（Ｓ４１３）。そして、ステップＳ４０１に戻って、主制御部２０は再び操作キー１５が押されたか否かを判断する。ステップＳ４１１の処理により、携帯電話機１は通常モードに遷移する。携帯電話機１は、通常モードにおいては、ユーザに操作キー１５による操作がされたら、その操作されたキーに対応する処理を行う。
【００８２】
操作キー１５が押されていない場合（Ｓ４０９のＮｏ）は、主制御部２０は、Ｓ４０７にてタッチスクリーン１２の輝度を下げてから所定時間（例えば５秒）が経過したか否かを判断する（Ｓ４１５）。所定時間が経過していない場合（Ｓ４１５のＮｏ）は、ステップＳ４０９に戻って、主制御部２０は再び操作キー１５が押されたか否かを判断する。
【００８３】
ステップＳ４０７にてタッチスクリーン１２の輝度を下げてから所定時間が経過した場合（Ｓ４１５のＹｅｓ）は、主制御部２０は、操作キー１５のキーライトを消灯する（Ｓ４１７）。また主制御部２０は、タッチスクリーン１２の表示を停止する（Ｓ４１９）。ステップＳ４１７及びＳ４１９の処理により、携帯電話機１は第２の省電力モードに遷移する。携帯電話機１は、第２の省電力モードにおいては、ユーザにより操作キー１５の操作がされても、その操作されたキーに対応する処理を行わない。
【００８４】
主制御部２０は、操作キー１５が押されたか否かを判断する（Ｓ４２１）。操作キー１５が押されていない場合（Ｓ４２１のＮｏ）は、主制御部２０は操作キー１５が押されるまで待機する。操作キー１５が押された場合（Ｓ４２１のＹｅｓ）は、主制御部２０は、タッチスクリーン１２の画面を表示する（Ｓ４２３）。また主制御部２０は、操作キー１５のキーライトを点灯する（Ｓ４２５）。ステップＳ４２３及びＳ４２５の処理により、携帯電話機１は通常モードに遷移する。携帯電話機１が通常モードに遷移すると、ステップＳ４０１に戻り、操作キー１５が押された場合に、この押されたキーに対応する処理が行われる。
【００８５】
このようにして携帯電話機１は、通常モード（表示ＯＮ、キーライトＯＮ）において無操作状態が所定時間継続したときにタッチスクリーン１２の輝度を下げて第１の省電力モード（表示ＯＮ（低輝度）、キーライトＯＮ）に遷移し、さらに無操作状態が所定時間継続したときに操作キー１５のキーライトを消灯してタッチスクリーン１２の画面表示を停止して第２の省電力モード（表示ＯＦＦ、キーライトＯＦＦ）に遷移する。また携帯電話機１は、第１の省電力モードまたは第２の省電力モードにおいて操作キー１５が押された際に、まず通常モードに遷移し、再度操作キー１５が押された場合に、この押された操作キー１５に対応する処理を行う。これにより、操作キー１５のシンボル表示が消灯されて無地になった状態においてユーザの意図しない処理の発生を防止できるとともに、効率的に無操作時の消費電力の節約を行うことができる。
【００８６】
第４実施形態によると、キーライトのＯＮ／ＯＦＦ状態を適切に制御することにより、消費電力の節約をしつつ誤動作を防止するとともに、優れたユーザビリティを実現することが可能となる。
【００８７】
〔第５実施形態〕
本発明に係る携帯端末の第５実施形態について、添付図面の図８を参照しながら説明する。以下、第１実施形態乃至第４実施形態と同一の構成には同一の符号を付し、重複する説明を省略する。第５実施形態の携帯電話機１は、図１（Ａ）及び図１（Ｂ）に示すように、第１実施形態乃至第４実施形態と同一の構成を備えている。また第５実施形態の携帯電話機１は、第１実施形態乃至第４実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【００８８】
第５実施形態の携帯電話機１は、通常モードにおいてタッチスクリーン１２の接触が感知された場合、ユーザがタッチスクリーン１２を用いて入力するものと判断し、操作キー１５のキーライトを消灯して省電力モードに遷移するものである。省電力モードにおいてはタッチスクリーン１２を介した入力のみが受け付けられ、操作キー１５を介した入力が受け付けられないため、操作キー１５が押下されても操作キー１５に対応した処理が行われず、キーライトを点灯させる処理のみが行われる。そして、さらに操作キー１５を押下されたときに、この押下された操作キー１５に対応した処理が行われる。
【００８９】
携帯電話機１が、画面状態と連動させてキーライトの点灯状態を制御するキーライト制御処理を行う際の手順について、図８に示すフローチャートに基づいて説明する。
【００９０】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、タッチスクリーン１２に画面表示するとともに操作キー１５のキーライトを点灯するが、ユーザにより操作されていない間は省電力モードに設定され、タッチスクリーン１２の画面表示を停止するとともに操作キー１５のキーライトを消灯する。
【００９１】
そして携帯電話機１は、通常モードに設定されているときに、例えばタッチスクリーン１２を介した入力がされた場合に省電力モードに遷移する。また、携帯電話機１は、省電力モードに設定されている時に、例えばいずれかの操作キー１５が押されることにより通常モードに遷移する。なお、始めに携帯電話機１が通常モードに設定されていて、タッチスクリーン１２に画面が表示されているとともに操作キー１５のキーライトが点灯中であるものとする。
【００９２】
主制御部２０は、この状態で操作キー１５が押されたか否かを判断する（Ｓ５０１）。操作キー１５が押された場合（Ｓ５０１のＹｅｓ）は、主制御部２０は、この押された操作キー１５に対応する処理を行う（Ｓ５０３）。
【００９３】
ステップＳ５０３にて処理を行った後、あるいは、操作キー１５が押されていない場合（Ｓ５０１のＮｏ）は、主制御部２０は、タッチスクリーン１２を介した入力がされたか否かを判断する（Ｓ５０５）。タッチスクリーン１２を介した入力がされていない場合（Ｓ５０５のＮｏ）は、ステップＳ５０１に戻って、主制御部２０は再び操作キー１５が押されたか否かを判断する。
【００９４】
タッチスクリーン１２を介した入力がされた場合（Ｓ５０５のＹｅｓ）は、主制御部２０は、操作キー１５のキーライトを消灯する（Ｓ５０７）。ステップＳ５０７の処理により、携帯電話機１は省電力モードに遷移する。携帯電話機１は、省電力モードにおいては、ユーザにより操作キー１５の操作がされても、その操作されたキーに対応する処理を行わない。
【００９５】
主制御部２０は、操作キー１５が押されたか否かを判断する（Ｓ５０９）。操作キー１５が押されていない場合（Ｓ５０９のＮｏ）は、主制御部２０は操作キー１５が押されるまで待機する。操作キー１５が押された場合（Ｓ５０９のＹｅｓ）は、主制御部２０は、操作キー１５のキーライトを点灯する（Ｓ５１１）。ステップＳ５１１の処理により、携帯電話機１は通常モードに遷移する。携帯電話機１が通常モードに遷移すると、ステップＳ５０１に戻り、操作キー１５が押された場合に、この押されたキーに対応する処理が行われる。
【００９６】
このようにして携帯電話機１は、通常モード（キーライトＯＮ）においてタッチスクリーン１２を介した入力がされたときに操作キー１５のキーライトを消灯して省電力モード（キーライトＯＦＦ）に遷移する。省電力モードにおいて操作キー１５が押された際に、まず通常モードに遷移し、再度操作キー１５が押された場合に、この押された操作キー１５に対応する処理を行う。これにより、操作キー１５のシンボル表示が消灯されて操作キー１５の表面が無地になった状態においてユーザの意図しない処理の発生を防止できるとともに、効率的に無操作時の消費電力の節約を行うことができる。
【００９７】
第５実施形態によると、キーライトのＯＮ／ＯＦＦ状態を適切に制御することにより、消費電力の節約をしつつ誤動作を防止するとともに、優れたユーザビリティを実現することが可能となる。
【００９８】
〔第６実施形態〕
本発明に係る携帯端末の第６実施形態について、添付図面の図９を参照しながら説明する。以下、第１実施形態乃至第５実施形態と同一の構成には同一の符号を付し、重複する説明を省略する。第６実施形態の携帯電話機１は、図１（Ａ）及び図１（Ｂ）に示すように、第１実施形態乃至第５実施形態と同一の構成を備えている。また第６実施形態の携帯電話機１は、第１実施形態乃至第５実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【００９９】
第６実施形態の携帯電話機１は、閉じた状態（不使用状態）から開いた状態（使用状態）に遷移したときに、始めに省電力モードに設定され、操作キー１５の入力がされたことに基づいて、操作キー１５のキーライトを点灯して通常モードに遷移するものである。省電力モードにおいては操作キー１５を介した入力が受け付けられないため、操作キー１５が押下されても操作キー１５に対応した処理が行われず、キーライトを点灯させる処理のみが行われる。そして、さらに操作キー１５を押下されたときに、この押下された操作キー１５に対応した処理が行われる。
【０１００】
携帯電話機１が、画面状態と連動させてキーライトの点灯状態を制御するキーライト制御処理を行う際の手順について、図９に示すフローチャートに基づいて説明する。なお、実施形態としてスライド型の携帯電話機１について説明するが、複数の筐体を相互に回転させることにより状態が遷移するクラムシェル型やスィーベル型の携帯端末でも同様である。
【０１０１】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、操作キー１５のキーライトを点灯するが、ユーザにより操作されていない間は省電力モードに設定され、操作キー１５のキーライトを消灯する。
【０１０２】
そして携帯電話機１は、閉じた状態から開いた状態に遷移したときに、始めに省電力モードに設定される。また、携帯電話機１は、省電力モードに設定されている時に、例えばいずれかの操作キー１５が押されることにより通常モードに遷移する。なお、始めに携帯電話機１が閉じた状態（タッチスクリーン１２に画面が非表示状態、操作キー１５のキーライトが消灯状態）であるものとする。
【０１０３】
主制御部２０は、この状態で閉じた状態から開いた状態に遷移したか否かを判断する（Ｓ６０１）。開いた状態に遷移していない場合（Ｓ６０１のＮｏ）は、主制御部２０はそのまま待機する。開いた状態に遷移した場合（Ｓ６０１のＹｅｓ）は、主制御部２０は、タッチスクリーン１２に画面を表示する（Ｓ６０３）。このとき、携帯電話機１は省電力モードに設定されている。携帯電話機１は、省電力モードにおいては、ユーザにより操作キー１５の操作がされても、その操作されたキーに対応する処理を行わない。
【０１０４】
主制御部２０は、操作キー１５が押されたか否かを判断する（Ｓ６０５）。操作キー１５が押されていない場合（Ｓ６０５のＮｏ）は、主制御部２０はそのまま待機する。操作キー１５が押された場合（Ｓ６０５のＹｅｓ）は、主制御部２０は操作キー１５のキーライトを点灯する（Ｓ６０７）。ステップＳ６０７の処理により、携帯電話機１は通常モードに設定される。携帯電話機１は、通常モードにおいては、ユーザに操作キー１５による操作がされたら、その操作されたキーに対応する処理を行う。
【０１０５】
主制御部２０は、再び操作キー１５が押されたか否かを判断する（Ｓ６０９）。操作キー１５が押された場合（Ｓ６０９のＹｅｓ）は、主制御部２０は、この押された操作キー１５に対応する処理を行う（Ｓ６１１）。
【０１０６】
ステップＳ６１１にて処理を行った後、あるいは、操作キー１５が押されていない場合（Ｓ６０９のＮｏ）は、主制御部２０は、所定時間（例えば５秒）が経過したか否かを判断する（Ｓ６１３）。このとき主制御部２０は、最後に操作キー１５が押されてから所定時間が経過したか、または、最後に処理を行ってから所定時間が経過したかを判断する。所定時間が経過していない場合（Ｓ６１３のＮｏ）は、ステップＳ６０９に戻って、主制御部２０は再び操作キー１５が押されたか否かを判断する。
【０１０７】
所定時間が経過した場合（Ｓ６１３のＹｅｓ）は、主制御部２０は、操作キー１５のキーライトを消灯する（Ｓ６１５）。また主制御部２０は、タッチスクリーン１２の表示を停止する（Ｓ６１７）。ステップＳ６１５及びＳ６１７の処理により、携帯電話機１は省電力モードに遷移する。携帯電話機１は、省電力モードにおいては、ユーザにより操作キー１５の操作がされても、その操作されたキーに対応する処理を行わない。そして、ステップＳ６０１に戻って、再びステップＳ６０１乃至Ｓ６１７の処理を繰り返す。
【０１０８】
このようにして携帯電話機１は、閉じた状態から開いた状態に遷移したときに始めに省電力モード（キーライトＯＦＦ）に設定されていて、操作キー１５が押されたときに操作キー１５のキーライトを点灯して通常モード（キーライトＯＮ）に遷移する。そして携帯電話機１は、再度操作キー１５が押された場合に、この押された操作キー１５に対応する処理を行う。これにより、操作キー１５のシンボル表示が消灯されて操作キー１５の表面が無地になった状態においてユーザの意図しない処理の発生を防止できるとともに、効率的に無操作時の消費電力の節約を行うことができる。
【０１０９】
第６実施形態によると、キーライトのＯＮ／ＯＦＦ状態を適切に制御することにより、消費電力の節約をしつつ誤動作を防止するとともに、優れたユーザビリティを実現することが可能となる。
【０１１０】
〔第７実施形態〕
本発明に係る携帯端末の第７実施形態について、添付図面の図１０を参照しながら説明する。以下、第１実施形態乃至第６実施形態と同一の構成には同一の符号を付し、重複する説明を省略する。第７実施形態の携帯電話機１は、図１（Ａ）及び図１（Ｂ）に示すように、第１実施形態乃至第６実施形態と同一の構成を備えている。また第７実施形態の携帯電話機１は、第１実施形態乃至第６実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【０１１１】
第７実施形態の携帯電話機１は、通常モードにおいて動画が再生されたときに操作キー１５のキーライトを消灯して省電力モードに遷移するとともに、操作キー１５の入力がされたことに基づいて、操作キー１５のキーライトを点灯して通常モードに遷移するものである。省電力モードにおいては操作キー１５を介した入力が受け付けられないため、操作キー１５が押下されても操作キー１５に対応した処理が行われず、キーライトを点灯させる処理のみが行われる。そして、さらに操作キー１５を押下されたときに、この押下された操作キー１５に対応した処理が行われる。
【０１１２】
携帯電話機１が、画面状態と連動させてキーライトの点灯状態を制御するキーライト制御処理を行う際の手順について、図１０に示すフローチャートに基づいて説明する。
【０１１３】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、操作キー１５のキーライトを点灯するが、ユーザにより操作されていない間や動画を再生している間は省電力モードに設定され、操作キー１５のキーライトを消灯する。
【０１１４】
そして携帯電話機１は、通常モードに設定されているときに、例えば動画が再生された場合に省電力モードに遷移する。また、携帯電話機１は、省電力モードに設定されている時に、例えばいずれかの操作キー１５が押されることにより通常モードに遷移する。なお、始めに携帯電話機１が通常モードに設定されていて、タッチスクリーン１２に画面が表示されているとともに操作キー１５のキーライトが点灯中であるものとする。
【０１１５】
主制御部２０は、この状態で操作キー１５が押されたか否かを判断する（Ｓ７０１）。操作キー１５が押された場合（Ｓ７０１のＹｅｓ）は、主制御部２０は、この押された操作キー１５に対応する処理を行う（Ｓ７０３）。
【０１１６】
ステップＳ７０３にて処理を行った後、あるいは、操作キー１５が押されていない場合（Ｓ７０１のＮｏ）は、主制御部２０は、動画が再生されたか否かを判断する（Ｓ７０５）。動画が再生されていない場合（Ｓ７０５のＮｏ）は、ステップＳ７０１に戻って、主制御部２０は再び操作キー１５が押されたか否かを判断する。
【０１１７】
動画が再生された場合（Ｓ７０５のＹｅｓ）は、主制御部２０は、操作キー１５のキーライトを消灯する（Ｓ７０７）。ステップＳ７０７の処理により、携帯電話機１は省電力モードに遷移する。携帯電話機１は、省電力モードにおいては、ユーザにより操作キー１５の操作がされても、その操作されたキーに対応する処理を行わない。
【０１１８】
主制御部２０は、操作キー１５が押されたか否かを判断する（Ｓ７０９）。操作キー１５が押されていない場合（Ｓ７０９のＮｏ）は、主制御部２０は操作キー１５が押されるまで待機する。操作キー１５が押された場合（Ｓ７０９のＹｅｓ）は、主制御部２０は、操作キー１５のキーライトを再び点灯する（Ｓ７１１）。ステップＳ７１１の処理により、携帯電話機１は通常モードに遷移する。携帯電話機１が通常モードに遷移すると、ステップＳ７０１に戻り、操作キー１５が押された場合に、この押されたキーに対応する処理が行われる。
【０１１９】
このようにして携帯電話機１は、通常モード（キーライトＯＮ）において動画が再生されたときに操作キー１５のキーライトを消灯して省電力モード（キーライトＯＦＦ）に遷移する。省電力モードにおいて操作キー１５が押された際に、まず通常モードに遷移し、再度操作キー１５が押された場合に、この押された操作キー１５に対応する処理を行う。これにより、操作キー１５のシンボル表示が消灯されて操作キー１５の表面が無地になった状態においてユーザの意図しない処理の発生を防止できるとともに、効率的に無操作時の消費電力の節約を行うことができる。
【０１２０】
第７実施形態によると、キーライトのＯＮ／ＯＦＦ状態を適切に制御することにより、消費電力の節約をしつつ誤動作を防止するとともに、優れたユーザビリティを実現することが可能となる。
【０１２１】
〔第８実施形態〕
本発明に係る携帯端末の第８実施形態について、添付図面の図１１を参照しながら説明する。以下、第１実施形態乃至第７実施形態と同一の構成には同一の符号を付し、重複する説明を省略する。第８実施形態の携帯電話機１は、図１（Ａ）及び図１（Ｂ）に示すように、第１実施形態乃至第７実施形態と同一の構成を備えている。また第８実施形態の携帯電話機１は、第１実施形態乃至第７実施形態と同様に、図２に示すように、主制御部２０、電源回路部２１、操作入力制御部２２、表示制御部２３、音声制御部２４、通信制御部２５、通信制御部２６、テレビ受信部２７、加速度検出部２８、及び記憶部２９がバスによって相互に通信可能に接続されて構成されている。
【０１２２】
第８実施形態の携帯電話機１は、通常モードにおいてサイドキー１６が押されたときに操作キー１５のキーライトを消灯して省電力モードに遷移するとともに、操作キー１５の入力がされたことに基づいて、操作キー１５のキーライトを点灯して通常モードに遷移するものである。省電力モードにおいては操作キー１５を介した入力が受け付けられないため、操作キー１５が押下されても操作キー１５に対応した処理が行われず、キーライトを点灯させる処理のみが行われる。そして、さらに操作キー１５を押下されたときに、この押下された操作キー１５に対応した処理が行われる。
【０１２３】
携帯電話機１が、画面状態と連動させてキーライトの点灯状態を制御するキーライト制御処理を行う際の手順について、図１１に示すフローチャートに基づいて説明する。
【０１２４】
携帯電話機１は、通常モードまたは省電力モードに遷移可能であり、通常モードに設定されている場合は操作キー１５の操作に対応する処理を行い、省電力モードに設定されている場合は、通常モードに遷移するまでの間、操作キー１５が操作されてもその操作に対応する処理を行わない。すなわち携帯電話機１は、ユーザにより操作されている間は通常モードに設定され、操作キー１５のキーライトを点灯するが、ユーザにより操作されていない間は省電力モードに設定され、操作キー１５のキーライトを消灯する。
【０１２５】
携帯電話機１は、通常モードに設定されているときに、例えば所定のサイドキー１６が押された場合に省電力モードに遷移する。また、携帯電話機１は、省電力モードに設定されている時に、例えばいずれかの操作キー１５が押されることにより通常モードに遷移する。なお、始めに携帯電話機１が通常モードに設定されていて、タッチスクリーン１２に画面が表示されているとともに操作キー１５のキーライトが点灯中であるものとする。
【０１２６】
主制御部２０は、この状態で操作キー１５が押されたか否かを判断する（Ｓ８０１）。操作キー１５が押された場合（Ｓ８０１のＹｅｓ）は、主制御部２０は、この押された操作キー１５に対応する処理を行う（Ｓ８０３）。
【０１２７】
ステップＳ８０３にて処理を行った後、あるいは、操作キー１５が押されていない場合（Ｓ８０１のＮｏ）は、主制御部２０は、所定のサイドキー１６が押されたか否かを判断する（Ｓ８０５）。所定のサイドキー１６が押されていない場合（Ｓ８０５のＮｏ）は、ステップＳ８０１に戻って、主制御部２０は再び操作キー１５が押されたか否かを判断する。
【０１２８】
所定のサイドキー１６が押された場合（Ｓ８０５のＹｅｓ）は、主制御部２０は、操作キー１５のキーライトを消灯する（Ｓ８０７）。ステップＳ８０７の処理により、携帯電話機１は省電力モードに遷移する。携帯電話機１は、省電力モードにおいては、ユーザにより操作キー１５の操作がされても、その操作されたキーに対応する処理を行わない。
【０１２９】
主制御部２０は、操作キー１５が押されたか否かを判断する（Ｓ８０９）。操作キー１５が押されていない場合（Ｓ８０９のＮｏ）は、主制御部２０は操作キー１５が押されるまで待機する。操作キー１５が押された場合（Ｓ８０９のＹｅｓ）は、主制御部２０は、操作キー１５のキーライトを再び点灯する（Ｓ８１１）。ステップＳ８１１の処理により、携帯電話機１は通常モードに遷移する。携帯電話機１が通常モードに遷移すると、ステップＳ８０１に戻り、操作キー１５が押された場合に、この押されたキーに対応する処理が行われる。
【０１３０】
このようにして携帯電話機１は、通常モード（キーライトＯＮ）において所定のサイドキー１６が押されたときに操作キー１５のキーライトを消灯して省電力モード（キーライトＯＦＦ）に遷移する。省電力モードにおいて操作キー１５が押された際に、まず通常モードに遷移し、再度操作キー１５が押された場合に、この押された操作キー１５に対応する処理を行う。これにより、操作キー１５のシンボル表示が消灯されて操作キー１５の表面が無地になった状態においてユーザの意図しない処理の発生を防止できるとともに、効率的に無操作時の消費電力の節約を行うことができる。
【０１３１】
第８実施形態によると、キーライトのＯＮ／ＯＦＦ状態を適切に制御することにより、消費電力の節約をしつつ誤動作を防止するとともに、優れたユーザビリティを実現することが可能となる。
【０１３２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、音楽プレイヤー、デジタルカメラ、ゲーム機等の照明装置（キーライト）を有する入力装置を備えた携帯端末であれば任意の携帯端末であって良い。
【符号の説明】
【０１３３】
１…携帯電話機，１０…上筐体，１１…下筐体，１２…タッチスクリーン，１３…スピーカ，１４…操作キー，１５…マイクロフォン，１６…サイドキー，２０…主制御部，２１…電源回路部，２２…操作入力制御部，２３…キーライト制御部，２４…表示制御部，２５…音声制御部，２６…通信制御部，２６ａ…アンテナ，２７…テレビ受信部，２７ａ…アンテナ，２８…加速度検出部，２８ａ…加速度センサ，２９…記憶部。
【図１】
2010273163.tif 000003
【図２】
2010273163.tif 000004
【図３】
2010273163.tif 000005
【図４】
2010273163.tif 000006
【図５】
2010273163.tif 000007
【図６】
2010273163.tif 000008
【図７】
2010273163.tif 000009
【図８】
2010273163.tif 000010
【図９】
2010273163.tif 000011
【図１０】
2010273163.tif 000012
【図１１】
2010273163.tif 000013